(57)【要約】【課題】  ＰＤＰやＬＣＤなどの大型の表示装置軽量化して回転機構への負荷を軽減するとともに、支持台内部の収容能力の有効利用を図ることを可能にする表示装置用支持台、並びに表示装置用支持台と表示装置との組合せを提供する。【解決手段】  表示装置用支持台２は外装ケース２５０と底面板２５１とにより構成され、外装ケース２５０に回転支持機構２４０が取り付けられている。表示装置用支持台２の内部には、スピーカ２６０，２６０がダクト板２７０を介して取り付けられている。ダクト板２７０は、外装ケース２５０と底面版２５１と協働して、スピーカ２６０，２６０の振動方向の前後を分離したダクト空間を構成する。音の伝播をダクト経由とすることで回転支持機構２４０との干渉がなく、表示装置１の向きと相関性が低く低音再生が可能な大口径のスピーカ２６０，２６０を、支持台２内の空間を有効利用して配置することができる。【選択図】        図３
2006146100.tif 000002
【特許請求の範囲】
【請求項１】
本体台部と、前記本体台部に表示装置を支持可能に設けられると共に前記表示装置の向きを変更可能な回転支持機構とを備え、前記本体台部には、スピーカが収容されていることを特徴とする表示装置用支持台。
【請求項２】
前記表示装置用支持台は前記表示装置をその左右中央において支持可能であり、前記スピーカは低音用スピーカ又はスピーカシステムの中央用スピーカであることを特徴とする請求項１に記載の表示装置用支持台。
【請求項３】
前記本体台部は内部に空洞を形成している外装ケースと底板とから構成されており、前記スピーカは、前記本体台部との間に前記スピーカの前側と後側とで発生させる音を区分けして伝達するダクトを形成するダクト板を介して前記本体台部に取り付けられていることを特徴とする請求項１に記載の表示装置用支持台。
【請求項４】
前記スピーカは、前記本体台部に設けられる前記回転支持機構から離れ且つ前記回転支持機構を挟む二つの位置においてそれぞれ前記ダクト板に取り付けられている二つのスピーカであることを特徴とする請求項３に記載の表示装置用支持台。
【請求項５】
前記本体台部の前面には、一方の前記ダクトに接続され且つ前記スピーカの一側面側で発生した音を放つ中央の開口部と、他方の前記ダクトに接続され且つ前記スピーカの他側面側で発生した音を放つ左右両側の開口部とが形成されていることを特徴とする請求項４に記載の表示装置用支持台。
【請求項６】
請求項１に記載の表示装置用支持台と、前記表示装置用支持台に支持された前記表示装置との組合せ。
【請求項７】
本体台部と、前記本体台部に表示装置を支持可能に設けられると共に前記表示装置の向きを変更可能な回転支持機構とを備え、前記本体台部には、前記表示装置に表示すべき映像信号に関連する映像信号処理機器が収容されていることを特徴とする表示装置用支持台。    
【請求項８】
前記映像信号処理機器は、前記映像信号を選局するチューナであることを特徴とする請求項７に記載の表示装置用支持台。
【請求項９】
前記映像信号処理機器は、再生信号としての前記映像信号を前記表示装置に表示可能な信号再生機器であることを特徴とする請求項７に記載の表示装置用支持台。
【請求項１０】
前記機器は、前記映像信号を記録可能な信号記録機器であることを特徴とする請求項７に記載の表示装置用支持台。
【請求項１１】
請求項７に記載の表示装置用支持台と、前記表示装置用支持台に支持された前記表示装置との組合せ。
【請求項１２】
本体台部と、前記本体台部に表示装置を支持可能に設けられると共に前記表示装置の向きを変更可能な回転支持機構とを備え、前記本体台部には、外部機器が着脱可能に収容されていることを特徴とする表示装置用支持台。
【請求項１３】
前記外部機器は、スピーカ、チューナ、録画記録再生機器、ディスク記録・再生機器、ディスク再生機器、及びテープ記録・再生機器から選択される一つ又は複数の機器であることを特徴とする請求項１２に記載の表示装置用支持台。
【請求項１４】
請求項１２に記載の表示装置用支持台と、前記表示装置用支持台に支持された前記表示装置との組合せ。
【発明の詳細な説明】
【技術分野】
【０００１】
本発明は、ＬＣＤ、ＰＤＰやＦＥＤなどの平面型表示パネル（フラットパネル）を使用してテレビジョン画像や記録画像などを表示する表示装置を支持する表示装置用支持台、及び表示装置用支持台とそれを用いて回転支持した表示装置との組合せに関する。
【背景技術】
【０００２】
テレビジョン受像機などの表示装置においては、表示技術の進歩に伴い、フラットパネル（平面型表示パネル）手段、例えば液晶パネル（Liquid  Crystal  Display：以下、「ＬＣＤ」と略す）やプラズマディスプレイパネル（Plasma  Display  Panel：以下、「ＰＤＰ」と略する）を用いた薄型のものが導入されつつある。また、フラットパネルを使用したディスプレイモニタは、大型化し、例え５０型（対角１２７０ｍｍなど）の大型パネルが使用されるようになってきている。
【０００３】
ところで、フラットパネルを用いた表示装置においては、設置に際しては、支持台を設けて設置する形態のものが従来から知られている。表示装置用支持台においては、表示装置用支持台に設けた回転手段を用いて、鑑賞する位置に合わせて表示装置を回転させることも広く行われている。表示装置用支持台に設ける回転手段としては、例えば下記特許文献１に開示されるものが知られている。特許文献１に開示されている従来技術では、重量物としてのテレビジョン本体を支持する支持台にベアリング機構を持つ回転機構を設けて、テレビジョンを左右方向に回転可能に支持している。このようにすると、プラズマディスプレイなどの大画面の重量級のディスプレイモニタでも、支持台に対して回転支持した状態で使用することができる。この従来技術では、支持台であるスタンドは、回転機構を一体的に組み込んでいるが、ベースボックスをスピーカ等の関連機器の収納用として利用しようとすることは意図されていない。
【０００４】
一方、表示装置用支持台においては、支持台内部にスピーカ手段を設けて、表示装置自体の質量を軽減して、セットとしての安定性を増すということも行われている。表示装置用支持台にスピーカ手段を設ける構成の従来技術としては、例えば下記特許文献２、下記特許文献３など開示されるものが知られている。特許文献２に記載のテレビ台においては、ブラウン管方式の大型テレビジョンが専用台に載せて使用されることに着目して、内部収容スペースが広い専用台にスピーカが組み込まれている。
【０００５】
下記特許文献２に開示されている従来技術では、テレビジョン台に低音スピーカが設けられている。このようにすると、テレビジョンモニタ単体では寸法やスペースの制約で実現できなかった低音スピーカを設置することが可能となる。また、低音に関しては、音像の位置に関する検知限が鈍く、画面のほぼ中央であれば良く、その方向性はあまり問われない。このようにすると、最近のプラズマディスプレイなどの大画面サイズのテレビジョンモニタのスピーカとしても十分機能することになる。しかしながら、この従来技術では、テレビジョンモニタを回転させる場合にテレビジョン台を含めた全体を回転させることになり、設置場所の制約が発生するという問題点があり、この点、従来十分に考慮されていなかった。
【０００６】
また、特許文献３に記載の音響出力装置内蔵回転台は、コンピュータシステム用のものであって、ブラウン管方式のディスプレイモニタ本体がジョイントを介して回転台本体に回転可能に連結されている。これらの例では、スピーカ手段は、表示装置用支持台に設けられている。
【０００７】
下記特許文献３に開示されている従来技術は、ディスプレイモニタを支持している回転台側にスピーカ手段を設けるというものである。このようにすると、後付けでディスプレイモニタにスピーカ手段を追加することが可能になる。しかしながら、この従来技術では、ディスプレイモニタを回転させても、回転台に設けたスピーカ自体は固定された方向を向いたままである。本従来技術に開示されているブラウン管方式のディスプレイモニタの場合には、画面サイズもそれほど大きなサイズではないため、回転方向とスピーカの方向の不一致はさほど問題となっていなかった。最近のプラズマディスプレイなど、例えば対角で５０型（１２７０ｍｍ）などの大画面サイズになった場合には、回転台により、ディスプレイモニタが別の方向に向くと、スピーカ手段の音の方向と画面の方向が一致せず、特にステレオ再生時の音像に関しては画面と一致しないことについては、下記特許文献に開示されている従来技術では十分に考慮されていなかった。また、スピーカの出力部分を装置外側にする必要がある。このとき、スピーカの口径より決まる低音再生能力もスピーカの出力部分を装置外側にすることから制限され、例えば２００Ｈｚ以下の低音を再生できないといったことがある点については、従来十分に認識されていなかった。
【０００８】
信号再生装置と表示装置を分離した構成の従来技術としては、例えば下記特許文献４に開示されるものなどが知られている。特許文献４に開示されている技術では、表示装置部分とチューナ部分とを分離する構成とするものが開示されている。この構成では、テレビジョン本体を機能に分けて、表示装置部分とチューナ部分との組み合わせで、種々の種類の表示装置に対応できるようにしたものである。この従来技術では、大型の表示装置に関しては想定されておらず、支持台という考え方もない。
【特許文献１】特開２００４−１５０５１５号公報（段落［００２９］〜［００３２］、図１〜図３）
【特許文献２】特開２００１−２６８４７８号公報（段落［０００３］〜［０００６］、図２、図４、図５］）
【特許文献３】特開平７−２２５６３３号公報（段落［００１７］〜［００１９］、図１］）
【特許文献４】特開平８−５９８６号公報（段落［００３７］〜［００４１］、図１）
【発明の開示】
【発明が解決しようとする課題】
【０００９】
そこで、ＬＣＤ、ＰＤＰやＦＥＤなどのフラットパネルを使用してテレビジョン画像や記録画像などを表示する表示装置を表示装置用支持台によって左右に回転可能に支持する場合、その表示装置を可及的に軽量化するとともに、支持台の内部の収納能力の活用を図る点で解決すべき課題がある。
【００１０】
本発明の目的は、上記した課題を考慮して成されたもので、その目的は、上記課題を解決し、表示装置を軽量化して回転機構への負荷を軽減するとともに、支持台内部の収納能力の有効利用を図って、高信頼の表示装置用支持台を実現することである。
【課題を解決するための手段】
【００１１】
上記課題を解決するため、この発明による表示用支持台は、本体台部と、前記本体台部に表示装置を支持可能に設けられると共に前記表示装置の向きを変更可能な回転支持機構とを備え、前記本体台部には、スピーカが収容されていることを特徴としている。
【００１２】
この表示用支持台によれば、表示装置は、本体台部に対して回転支持機構を介して向きを変更可能に支持されており、表示装置の向きについては、回転軸を縦軸とすることで、例えば、鑑賞者の居る方向に合わせるように左右に変更可能である。本体台部に収容されているスピーカは表示装置の向きと相関性の低い機器であるので、表示装置がどの方向を向いていても当該機器を利用可能である。スピーカは、振動板の振動を外部に伝達するためダクト等のスペースを必要としているが、表示装置用支持台に収容することによって、表示装置と分離して表示装置の重量を軽減すると共に、表示装置用支持台のスペースを有効利用することができる。その結果、本体台部の内部の空間を有効利用することができ、表示装置に設ける必要がなくなるので、プラズマディスプレイなどの大画面重量級ディスプレイモニタのような表示装置の重量を軽減し、支持台として回転支持機構への重量負荷を軽減することができる。
【００１３】
表示装置用支持台は表示装置をその左右中央において支持可能であり、表示装置用支持台に収容するスピーカとして、低音用スピーカ又はスピーカシステムの中央用スピーカとすることができる。人の聴覚の特性として低音については音像の位置への検知限が鈍いので、表示装置を鑑賞する人がスピーカからの音を聴取する場合、音源が画面のほぼ中央に配置されていればよく、その方向性が問われることは殆どない。表示装置用支持台は、表示装置をその左右中央において支持可能であるので、表示装置用支持台が収容する低音用スピーカは、表示装置が映す映像に対してほぼ中央に位置することになり、鑑賞者に対して音源の位置について違和感を与えることはない。また、サラウンドシステムのようなスピーカシステムを表示装置と組み合わせてセットする場合には、表示装置用支持台が収容するスピーカをその中央用スピーカとすることができる。
【００１４】
収容される機器をスピーカとした上記の表示装置用支持台において、本体台部を内部に空洞を形成している外装ケースと底板とから構成し、スピーカは、本体台部との間にスピーカの前側と後側とで発生させる音を区分けして伝達するダクトを形成するダクト板を介して本体台部に取り付けることができる。スピーカの振動板からその前後に向かって発生する音は、本体台部内にダクト板によって形成されるダクトによって導いて外部に伝達させることができる。スピーカはそのダクトを形成するダクト板を利用して本体台部に取り付けることができ、部品点数を減らして、構造を簡素化することができる。重量級のディスプレイモニタの支持台としては、回転支持機構が大掛かりになるため、スピーカの支持台内部の配置が困難になるが、取付けにダクト板を利用することにより回転支持機構を避けてスピーカを本体台部内に収容することができる。
【００１５】
スピーカがダクト板に取り付けられている上記の表示装置用支持台において、スピーカは、本体台部に設けられる回転支持機構から離れ且つ回転支持機構を挟む二つの位置においてそれぞれダクト板に取り付けられている二つのスピーカとすることができる。本体台部内にダクトを形成するダクト板にスピーカを取り付ける場合、スピーカを左右の二つのスピーカとし、その設置位置を回転支持機構の両側に配置するなどにより、回転支持機構との干渉を回避して、スピーカを取り付けることができる。結果として、回転支持機構と二つのスピーカとを両立した構成とすることができ、スピーカ手段の配置を自由に行うことが可能となる。
【００１６】
本体台部に収容する二つのスピーカをダクト板に取り付けた上記の表示装置用支持台において、本体台部の前面には、一方のダクトに接続され且つスピーカの一側面側で発生した音を放つ中央の開口部と、他方のダクトに接続され且つスピーカの他側面側で発生した音を放つ左右両側の開口部とを形成することができる。例えば、スピーカの前面側で発生した音については、本体台部の前面に形成された中央の開口部から出力し、また、スピーカの後面側で発生した音については、本体台部の前面に形成された左右両側の開口部から出力することができる。
【００１７】
また、この発明による表示用支持台は、本体台部と、前記本体台部に表示装置を支持可能に設けられると共に前記表示装置の向きを変更可能な回転支持機構とを備え、前記本体台部には、前記表示装置に表示すべき映像信号に関連する映像信号処理機器が収容されていることを特徴としている。
【００１８】
映像信号に関連する映像信号処理機器は、表示装置と信号の遣り取り上、関連性のある機器であるが、表示装置の向きとは相関性の低い機器である。したがって、表示装置がどの方向を向いていても当該映像信号処理機器を利用可能であり、配置上、及び省スペース上等、本体台部を利用して収容するのが好ましい。
【００１９】
上記の表示装置用支持台において、本体台部に収容する機器を、表示装置に表示すべき映像信号を選局するチューナとすることができる。また、本体台部に収容する機器を、再生した映像を表示装置に表示可能な信号再生機器、或いは映像信号を記録可能な信号記録機器とすることもできる。チューナ、信号再生機器及び信号記録機器は、表示装置と分離する構成では、表示装置の向きとは相関性が低い機器であって且つ支持台との関連も本来無いが、そうであればこそ、これらの機器の設置スペースに関して改善の余地がある。チューナ、信号再生機器及び信号記録機器を本体台部に収容することで、これらの機器を外部に設置する場合に比べて、設置スペースを省くことができると共に、本体台部内部のスペースを有効利用することができる。
【００２０】
また、この発明による表示用支持台は、本体台部と、前記本体台部に表示装置を支持可能に設けられると共に前記表示装置の向きを変更可能な回転支持機構とを備え、前記本体台部には、外部機器が着脱可能に収容されていることを特徴としている。
【００２１】
表示装置用支持台において、本体台部に外部機器を着脱可能に収容することにより、本体台部内のスペースが限られる場合であっても、複数の外部機器から選択した上で本体台部に外部機器を装填して利用することができる。本体台部に対して、着脱時に接続又は離脱する適宜のコネクタを用いることで、表示装置等と信号伝達可能に接続させることができる。
【００２２】
本体台部に外部機器を着脱可能に収容する上記の表示装置用支持台において、外部機器は、スピーカ、チューナ、録画記録再生機器、ディスク記録・再生機器、ディスク再生機器、及びテープ記録・再生機器から選択される一つ又は複数の機器であるとすることができる。これらの外部機器から一つ、又は同時に装填可能な個数以下の外部機器を選択して、本体台部内に着脱することができる。
【００２３】
この発明は、上記の各表示装置用支持台と、当該表示装置用支持台に支持された表示装置との組合せとすることができる。表示装置は、組合せ状態では、表示装置用支持台に対して回転支持機構を介して回転可能に支持されており、鑑賞者の居る方向に向かって向きを変更することができる。また、スピーカや映像信号処理装置、或いは各種の外部機器は表示装置の向きと相関性の低い機器であり、鑑賞者の居る方向に向ける必要がなく、スペース的に収容可能な範囲で表示装置用支持台によって収容することができ、表示装置の重量を減少させて回転支持機構への重量負荷を軽減することができる。
【発明の効果】
【００２４】
本発明の表示装置用支持台によれば、表示装置は、本体台部に対して回転支持機構を介して向きを変更可能に支持されており、表示装置の向きについては鑑賞者の居る方向に合わせるように左右に変更可能である。本体台部はスピーカや映像信号処理装置、或いは各種の外部機器のように、表示装置の向きと相関性の低い機器を収容可能であるので、表示装置がどの方向を向いていても当該機器を利用可能である。その結果、当該機器を表示装置に設ける必要はなくなり、表示装置の重量を軽減し、回転支持機構への重量負荷を軽減することができる。また、支持台内部のスペースの収容能力を有効利用することができ、結果として高信頼の表示装置用支持台を実現することができる。
【発明を実施するための最良の形態】
【００２５】
以下、図面を参照しながら、本発明を実施する上での最良の形態について説明する。なお、全図において、共通な機能を有する構成要素には同一符号を付して示し、また、煩雑さを避けるために、一度述べたものについてはその繰り返した説明を省略する。
【実施例１】
【００２６】
図１から図６は、本発明による表示装置用支持台及びそれと組み合わされる表示装置についての第１の実施例の説明図である。図１から順に説明する。図１は、本発明による第１実施例に係る表示装置用支持台及びそれと組み合わされた状態にある表示装置の外観を示す斜視図である。図１において、表示装置１は、表示装置用支持台２に支持された状態で置かれている。表示装置１の表示部１０１には、テレビジョンなどの映像が表示される。本実施例では、表示部１０１はＰＤＰなどの薄型ディスプレイであり、表示部１０１への映像の表示は図示していないチューナ手段やビデオ再生手段などからの信号に基づいて行なわれる。また、表示部１０１の左右にはスピーカ１１，１２が設けてあり、表示部１０１での映像表示と同時に、音（ステレオ音）も出力することができる。表示装置用支持台２には、回転支持機構２４０が設けてあり、表示装置用支持台２に対して表示部１０１を矢印Ａ及び矢印Ｂに示すように左右方向に回転移動して、設置位置を変えることなく視聴位置（方向）を変更することができる。
【００２７】
図２は、図１に示した表示装置用支持台２の詳細を示す斜視図である。図２において、表示装置用支持台２に設けられている回転支持機構２４０の回転部分には、表示装置１を取り付ける一対の取付け部２１０、２１０が設けてある。また、表示装置用支持台２には、その前面において、スピーカの開口部２２０と開口部２３０とが形成されている。スピーカは、表示装置用支持台２の内部に取り付けてあり、外側からは見えない。取付け部２１０，２１０は、図示のように、回転支持機構２４０の上部に左右の延びるアーム部２２１，２２１の各端部分に上方へ延びる態様で設けられている。取付け部２１０、２１０は、表示部１０１の背面側に形成されている穴や窪みに嵌合した上で、表示部１０１に止めねじによって固着される。
【００２８】
図３は、図２に示した表示装置用支持台の内部構成を示す分解斜視図である。表示装置用支持台２の外形は、外装ケース２５０と底面板２５１とにより構成され、この外装ケース２５０に回転支持機構２４０が取り付けられている。表示装置用支持台２の内部には、スピーカ２６０，２６０がダクト板２７０を介して取り付けられている。ダクト板２７０は、外装ケース２５０と底面版２５１と協働して、スピーカ２６０，２６０の振動方向の前後を分離した空間（ダクト）を構成する。
【００２９】
図４は、図３に示す表示装置用支持台の内部構成を底面側から見た分解斜視図である。外装ケース２５０においては、回転支持機構２４０を取り付けるための取付け部２５５が上壁の中央位置を占めて下方に張り出す態様で設けられている。各スピーカ２６０は、外装ケース２５０内の左右位置のように、取付け部２５５を避けた位置に配置されているので、回転支持機構２４０やその取付け部２５５がスピーカ２６０と干渉することはない。このように、ダクト板２７０を介してスピーカ２６０，２６０を内部に設けることにより、比較的大口径（例えば２００ｍｍなど）のスピーカ２６０，２６０を薄型（例えば厚さ６０ｍｍなど）の支持台２の内部に設置することが可能となる。大口径のスピーカ２６０ほど、低音用スピーカとして適している。更には、スピーカ２６０，２６０を回転支持機構２４０と干渉しない位置に配置し、支持台２内のスペースを有効利用することも可能となる。
【００３０】
図５は、図１〜図４に示す表示装置用支持台の内部のダクト構成を示す断面図である。図５（ａ）は、スピーカの前面側を中心とした断面であり、図５（ｂ）はスピーカの背面側を中心とした断面である。夫々の断面は、説明用のダクト板２７０周りを示すものであり、ダクト板２７０に沿って断面を作成したものである。図５（ａ）では、スピーカ２６０からその前面側で発生した音は、前面側ダクト２８０を経由して開口部２２０（図２参照、前面の中央開口部２２０）へと進み、表示装置用支持台２の外部へと導かれる。このとき前面側ダクト２８０は、ダクト板２７０と底面板２５１とにより構成され、背面側ダクト２９０とは分離されている。図５（ｂ）では、スピーカ２６０の背面側の振動は、背面側ダクト２９０を経由して、開口部２３０（図２参照、前面の左右の開口部２３０，２３０）へと進み、表示装置用支持台２の外部へと導かれる。このとき、背面側ダクト２９０は、ダクト板２７０と底面板２５１及び外装ケース２５０とにより構成され、前面側ダクト２８０とは分離されている。
【００３１】
以上、図１〜図５を用いて説明したように、本発明の第１番目の実施例においては、表示装置用支持台２に回転支持機構２４０と、ダクト板２７０を介して取り付けた二つのスピーカ２６０，２６０が設けてある。このようにすることにより、大画面の表示部１０１を動作させて、所望の角度で鑑賞する場合には、表示装置１の支持台２に設けてある回転支持機構２４０により、角度を調節することができる。また、表示装置１の支持台２に設けてあるスピーカ２６０，２６０により、表示部１０１の左右のスピーカ１１，１２の機能を補う、例えば低音部分を再生することが可能となる。
【００３２】
人の聴覚の性質として、低音（数十Ｈｚ〜１００Ｈｚ）は高音よりも方向識別性が低く、音が発生されているときにその方向が高音ほど問題になることは少ない。それゆえ、人が鑑賞する表示部１０１の方向に合わせて表示部１０１と共に回転するスピーカ１１，１２については、高音用スピーカとすることが好ましい。低音用スピーカについては、必ずしも、鑑賞する人の方向に向ける必要がない、即ち、表示装置の向きと相関性が低いと言えるので、支持台２に設けてあるスピーカ２６０，２６０を低音用スピーカとして充てることができる。低音用スピーカでは、要求されるスペックが大きいので、容量的にもスピーカ１１，１２を低音用として充当することは困難であるが、支持台２の内部の大きな容量であれば低音用スピーカのために利用することができる。この場合、振動するエアの量が大きいので、二つのスピーカ２６０，２６０を備えることも有利である。更にまた、表示装置１を多チャンネルのスピーカシステムと共に用いる場合には、支持台２に設けてあるスピーカ２６０，２６０を低音用スピーカのみならず、他のスピーカ構成、例えば中央スピーカとして構成しても、同様の効果を得ることができる。
【実施例２】
【００３３】
図６は、本発明による第２実施例に係る表示装置用支持台及びそれに支持された表示装置の外観を示す斜視図である。図６において、表示装置１は表示装置用支持台３に回転可能に支持されており、表示装置１は表示部１０１を備えている。表示装置１の表示部１０１、左右のスピーカ１１，１２、取付け部２１０及び回転支持機構２４０については、第１実施例のものと基本的に同等であるので、再度の説明を省略する。
【００３４】
図７は、図６に示した表示装置用支持台の詳細を示す斜視図である。図７において、表示装置用支持台３には、チューナ部３１０が設けてあり、表示装置用支持台３の外部に面して、チューナ部３１０の電源釦３１１、操作釦３１２部、外部信号入出力コネクタ３１３が設けてある。これらの電源釦３１１や操作釦３１２を適宜操作することにより、チューナ部３１０を動作させて、外部からの放送などの信号を表示装置用の信号に変換して映像として表示することができる。
【００３５】
図６及び図７に示したような第２実施例においては、信号処理を行うチューナ部３１０を表示装置用支持台３の内部に設け、表示装置１の外部に設けていた別体の信号処理回路部を支持台の一部として構成した。チューナ部３１０については、回転支持機構２４０によって回転される表示部１０１の向きとの相関性は基本的にはないので、チューナ部３１０を表示装置用支持台３に設けても何らの差し支えはない。このため、従来、別体で設置していたチューナ部３１０を含む信号処理回路部を一体で取り扱うことができ、表示装置１と表示装置用支持台３との全体の設置が容易になり、取扱い性に優れた表示装置用支持台３、並びに表示装置用支持台３とそれに回転可能に支持された表示装置との組合せを実現することが可能となるという効果がある。
【実施例３】
【００３６】
図８は、本発明による表示装置用支持台の第３実施例を示す斜視図である。図８においては、表示部そのものの形態は、図１に示した第１実施例又は図６に示した第２実施例における表示部と同等であるため、図では省略してある。図８において、表示装置用支持台４には、回転支持機構２４０が設けてあり、表示装置用支持台４に対して表示部（図示せず）を矢印Ａ及び矢印Ｂに示す方向に回転移動して、設置位置に対して視聴位置（角度）を変更することができる。
【００３７】
図８に示す表示装置用支持台４には、電源釦４１１が設けられ、着脱式チューナユニット４１０、着脱式スピーカユニット４２０などが装着された状態を示している。この状態では、着脱式チューナユニット４１０で装置外部からの電波などの信号を復調して、表示装置１（図１、図６参照）で表示可能な信号にして、テレビジョン放送等の映像として表示することができる。また、着脱式スピーカユニット４２０からは、低音などの音を再生することができる。着脱式チューナユニット４１０及び着脱式スピーカユニット４２０は、表示装置用支持台４に対して着脱自在に装着され、装置外部へと取り出すことができる。図８では、着脱式スピーカユニット４２０を、装着スロット４４０へ取り付ける状態を示している。着脱式スピーカユニット４２０は、取り付けた状態から表示装置用支持台４の外部へと取り外すこともできる。
【００３８】
また、装置外部へ取り外した状態の着脱式記録ユニット４３０を、装着されている着脱式スピーカユニット４２０と差し替えて使用することができる。このように、着脱式記録ユニット４３０を装着させると、同ユニット内に記録された映像などを再生して、表示装置（図１、図６参照）で表示することが可能となる。また、着脱可能なユニットとしては、例えばスピーカ手段、チューナ手段、録画記録再生手段、ディスク記録・再生手段、ディスク再生手段、テープ記録・再生手段のような表示装置の向きと相関性が無い又は低い手段の何れか一つ又は複数種類を装着して使用することができる。
【００３９】
図８に示す第３実施例によると、表示装置用支持台４の内部に設ける動作ユニットを適宜選択して装着することにより、必要な機能を必要なときに適宜使用できる構成となるという効果がある。もちろん、表示装置用支持台４としての機能も有するため、従来、別体で設けていた信号処理回路部を装置と一体で取り扱うことができ、設置性に優れた表示装置用支持台、並びに表示装置用支持台とそれに回転可能に支持された表示装置との組合せを提供することができる。
【００４０】
以上の説明においては、表示装置１の例として、ＰＤＰの例で説明したが、他の例えば液晶ディスプレイ（Liquid  Crystal  Display：ＬＣＤ）、電界放射型ディスプレイ（Field  Emission  Display：ＦＥＤ）、発光ダイオード型ディスプレイ（Electroluminescence）などの平面型表示装置であっても同様の効果が有ることは、言うまでもない。
【図面の簡単な説明】
【００４１】
【図１】本発明による第１実施例に係る表示装置用支持台及びそれに回転可能に支持された表示装置の外観を示す斜視図。
【図２】図１に示した表示装置用支持台２の詳細を示す斜視図。
【図３】図２に示した表示装置用支持台の内部構成を示す分解斜視図。
【図４】図３に示す表示装置用支持台の内部構成を底面側から見た分解斜視図。
【図５】図１〜図３に示す表示装置用支持台の内部の断面図。
【図６】本発明による第２実施例に係る表示装置用支持台及びそれに回転可能に支持された表示装置の外観を示す斜視図。
【図７】図６に示す表示装置用支持台の外観を示す斜視図。
【図８】本発明による第３実施例に係る表示装置用支持台を示す斜視図。
【符号の説明】
【００４２】
１  表示装置
２  表示装置用支持台
３  表示装置用支持台
４  表示装置用支持台
１１  スピーカ
１０１  表示部
２１０  取り付け部
２２０  開口部Ａ
２３０  開口部Ｂ
２４０  回転手段
２５０  外装ケース
２５１  底面板
２５５  回転手段取り付け部
２６０  スピーカ
２７０  ダクト板
２８０  前面側ダクト
２９０  背面側ダクト
３１０  チューナ部
３１１  電源釦
３１２  操作釦
３１３  外部信号入出力コネクタ
４１０  着脱式チューナユニット
４１１  電源釦
４２０  着脱式スピーカユニット
４３０  着脱式記録ユニット
４４０  装着スロット
Ａ  回転方向矢印
Ｂ  回転方向矢印
【図１】
2006146100.tif 000003
【図２】
2006146100.tif 000004
【図３】
2006146100.tif 000005
【図４】
2006146100.tif 000006
【図５】
2006146100.tif 000007
【図６】
2006146100.tif 000008
【図７】
2006146100.tif 000009
【図８】
2006146100.tif 000010